(57)【要約】【課題】回路部品の配置に起因する大型化を抑制した光学機器を提供する。【解決手段】鏡筒５５０と、レンズと、前記レンズを保持するレンズ保持枠と、前記レンズ保持枠を光軸方向に案内するガイド部材と、前記レンズ保持枠を光軸方向に駆動するアクチュエータと、前記アクチュエータに電力を供給する回路部品と、を備える光学機器であって、前記レンズ保持枠と前記ガイド部材は、前記鏡筒の外周より内側に配置され、前記回路部品と前記アクチュエータはそれぞれを光軸と直交する方向から光軸へ投影したときに光軸方向で一部が重なるように配置され、且つ、前記回路部品の少なくとも一部は光軸方向において前記レンズ保持枠が移動可能な範囲に配置する。【選択図】図５
2020144270.tif 000002
【特許請求の範囲】
【請求項１】
鏡筒と、
レンズと、
前記レンズを保持し、光軸方向に移動可能に配置されたレンズ保持枠と、
前記レンズ保持枠を光軸方向に案内するガイド部材と、
前記レンズ保持枠を光軸方向に駆動するアクチュエータと、
前記アクチュエータに電力を供給する回路部品と、を備える光学機器であって、
前記レンズ保持枠と前記ガイド部材は、前記鏡筒の外周より内側に配置され、
前記回路部品と前記アクチュエータはそれぞれを光軸と直交する方向から光軸へ投影したときに光軸方向で一部が重なるように配置され、且つ、前記回路部品の少なくとも一部は光軸方向において前記レンズ保持枠が移動可能な範囲に配置されていることを特徴とする光学機器。
【請求項２】
鏡筒と、
レンズと、
前記レンズを保持するレンズ保持枠と、
前記レンズ保持枠を光軸方向に案内するガイド部材と、
前記レンズ保持枠を光軸方向に駆動するアクチュエータと、
前記アクチュエータに電力を供給する回路部品と、を備える光学機器であって、
前記レンズ保持枠と前記ガイド部材は、前記鏡筒の外周より内側に配置され、
前記アクチュエータと前記回路部品は、前記鏡筒の外周より内側において前記鏡筒の外周側面に配置されていることを特徴とする光学機器。
【請求項３】
前記回路部品は、前記鏡筒の周方向において前記アクチュエータを避けた位置に配置されていることを特徴とする請求項１又は２に記載の光学機器。
【請求項４】
前記回路部品は、前記鏡筒の周方向において、前記ガイド部材を避けた位置に配置されていることを特徴とする請求項１乃至３のいずれか１項に記載の光学機器。
【請求項５】
直進案内筒と、
前記直進案内筒により光軸方向に案内されるレンズ群と、を備え、
前記鏡筒は前記直進案内筒の内周側に配置されていることを特徴とする請求項１乃至４のいずれか１項に記載の光学機器。
【請求項６】
前記直進案内筒は、導電性材料で形成されていることを特徴とする請求項５に記載の光学機器。
【請求項７】
光軸を中心として回転可能なカム筒を備え、
前記カム筒は前記直進案内筒の外周側に配置されていることを特徴とする請求項５又は６に記載の光学機器。
【請求項８】
前記カム筒と前記直進案内筒の係合により、前記カム筒の回転に伴って前記鏡筒は光軸方向に移動可能であることを特徴とする請求項７に記載の光学機器。
【請求項９】
前記カム筒は、導電性材料で形成されていることを特徴とする請求項７又は８に記載の光学機器。
【請求項１０】
前記アクチュエータは、振動体と、該振動体と接触する接触体とを有する振動型アクチュエータであることを特徴とする請求項１乃至９のいずれか１項に記載の光学機器。
【請求項１１】
前記振動型アクチュエータは、
前記振動体を保持し、前記レンズ保持枠と連結された可動部と、
前記接触体が固定され、前記鏡筒に取り付けられた固定部と、を有し、
前記振動体が前記接触体に対して推力を与えたときの反力によって前記レンズ保持枠と前記可動部とが一体となって光軸方向に移動することを特徴とする請求項１０に記載の光学機器。
【発明の詳細な説明】
【技術分野】
【０００１】
本発明は、光学機器に関する。
【背景技術】
【０００２】
デジタルカメラやビデオカメラ、交換レンズ等の光学機器には、オートフォーカス機能の高速化や静粛性を実現するために、各種の駆動機構の駆動装置として振動型アクチュエータ（超音波モータ）を搭載したものがある。振動型アクチュエータの駆動電源には、電池等から供給される電圧を昇圧し、振動型アクチュエータに所定の交流電圧を印加する昇圧トランス等の回路部品が必要となる。
【０００３】
しかし、昇圧トランスからの漏れ磁束が磁気ノイズの原因となり、このような磁気ノイズが撮像信号に重畳すると撮像画質が低下することが知られている。そこで、例えば特許文献１には、制御部やスイッチング部が実装された保持基板とは異なる位置に昇圧部を配置し、昇圧部と振動アクチュエータを近付けて配置した駆動装置が開示されている。この構成によれば、昇圧部と振動アクチュエータとの間に流れる高電圧の駆動信号の配線を短くすることができることで、誘導ノイズや漏れ磁束の撮像素子への影響を小さくすることが可能となる。
【先行技術文献】
【特許文献】
【０００４】
【特許文献１】特開２０１３−１７９７８７号公報
【発明の概要】
【発明が解決しようとする課題】
【０００５】
しかしながら、上記特許文献１に記載された駆動装置では、被駆動体であるカム筒の外側に昇圧トランスが配置されている。昇圧トランスは内部にコイル等の磁気回路を有するため、一般的に回路部品としては外形が比較的大きいことが多い。そのため、カム筒の外側に昇圧トランスを配置すると、カム筒を包含するレンズ鏡筒全体が大径化してしまうおそれがある。
【０００６】
本発明は、回路部品の配置に起因する大型化を抑制することが可能な光学機器を提供することを目的とする。
【課題を解決するための手段】
【０００７】
本発明に係る光学機器は、鏡筒と、レンズと、前記レンズを保持し、光軸方向に移動可能に配置されたレンズ保持枠と、前記レンズ保持枠を光軸方向に案内するガイド部材と、前記レンズ保持枠を光軸方向に駆動するアクチュエータと、前記アクチュエータに電力を供給する回路部品と、を備える光学機器であって、前記レンズ保持枠と前記ガイド部材は、前記鏡筒の外周より内側に配置され、前記回路部品と前記アクチュエータはそれぞれを光軸と直交する方向から光軸へ投影したときに光軸方向で一部が重なるように配置され、且つ、前記回路部品の少なくとも一部は光軸方向において前記レンズ保持枠が移動可能な範囲に配置されていることを特徴とする。
【発明の効果】
【０００８】
本発明によれば、回路部品の配置に起因する大型化を抑制した光学機器を提供することができる。
【図面の簡単な説明】
【０００９】
【図１】本発明の実施形態に係るデジタル一眼レフカメラの外観斜視図である。
【図２】カメラ本体と交換レンズの電気的及び光学的な構成を示すブロック図である。
【図３】デジタル一眼レフカメラの概略構成を、交換レンズを繰り込み状態として示す断面図である。
【図４】デジタル一眼レフカメラの概略構成を、交換レンズを繰り出し状態として示す断面図である。
【図５】交換レンズに配置されたフォーカス群ユニットの分解斜視図である。
【図６】フォーカス群ユニットの側面図である。
【図７】フォーカス群が移動範囲の端に配置されている状態を示す断面図である。
【図８】光軸と直交する平面での交換レンズの断面図である。
【発明を実施するための形態】
【００１０】
以下、本発明の実施形態について、添付図面を参照して詳細に説明する。ここでは、本発明に係る光学装置として、所謂、デジタル一眼レフカメラを取り上げるが、本発明はこれに限定されるものではない。図１は、本発明の実施形態に係るデジタル一眼レフカメラ１００の外観斜視図であり、図１（ａ）は正面側から見た図であり、図１（ｂ）は背面側から見た図である。デジタル一眼レフカメラ１００は、カメラ本体１と、カメラ本体１に対して着脱可能な交換レンズ１０１（レンズ鏡筒）を備える。
【００１１】
なお、説明の便宜上、図１に示すように、交換レンズ１０１が収容する撮像光学系（不図示）の光軸と平行なＸ軸方向と規定する。そして、Ｘ軸が水平方向と平行であるときに、水平面内でＸ軸と直交する方向をＺ軸方向とし、鉛直方向と平行な方向をＹ軸方向とする。また、Ｚ軸まわりの回転方向をピッチ（Ｐｉｔｃｈ）方向とし、Ｙ軸まわりの回転方向をヨー（Ｙａｗ）方向とする。
【００１２】
カメラ本体１の内部には、交換レンズ１０１内の撮像光学系により形成される被写体像を光電変換（撮像）する撮像素子１６（図２参照）が設けられている。デジタル一眼レフカメラ１００を正面側から見たときのカメラ本体１の左側には、ユーザがカメラ本体１を手で把持するためのグリップ部２が設けられている。カメラ本体１の上面部には、電源操作部３、モードダイアル４、レリーズボタン５及びアクセサリシュー６が設けられている。電源操作部３は、カメラ本体１の電源のオン状態とオフ状態とを切り替える。モードダイアル４の回転操作に応じて、撮像モードが切り替わる。撮像モードには、シャッタ速度や絞り値等の撮像条件を任意に設定可能なマニュアル静止画撮像モード、自動で適正な露光量が得られるオート静止画撮像モード、動画撮像を行うための動画撮像モード等があるが、これらは一例である。レリーズボタン５が半押し操作されると、カメラ本体１に内蔵されているカメラ制御部１２（図２参照）が、オートフォーカスや自動露出制御等の撮像準備動作を開始する。レリーズボタン５が全押し操作されると、カメラ制御部１２は撮像動作を実行する。アクセサリシュー６には、外部ストロボ装置や外部ファインダ装置（ＥＶＦ）等のアクセサリの着脱が可能となっている。
【００１３】
交換レンズ１０１は、レンズマウント１０２を介して、カメラ本体１に設けられたカメラマウント７に機械的に且つ電気的に接続される。交換レンズ１０１の内部には、被写体からの光を撮像素子１６に結像させる撮像光学系が収容されている。交換レンズ１０１の外周には光軸まわりに回転可能なズーム操作環１０３が設けられている。ユーザがズーム操作環１０３を回転操作する際に手が滑ることがないように、ズーム操作環１０３の外周部はローレット形状に形成されている。ズーム操作環１０３が回転操作されると、交換レンズ１０１内の撮像光学系を構成するズーム群がズーム操作環１０３の回転角度に対応した光学位置へと移動して、撮像画角が変化する。
【００１４】
カメラ本体１の背面には、背面操作部８と表示部９が設けられている。背面操作部８は、様々な機能が割り当てられた複数のボタンやダイアルを含む。表示部９は、撮像素子１６により撮像されている被写体像のスルー画像、撮像された画像を再生したときの再生画像、デジタル一眼レフカメラ１００の動作条件等の各種設定を行うためのメニュー等が表示される。
【００１５】
図２は、カメラ本体１と交換レンズ１０１の電気的及び光学的な構成を示すブロック図である。カメラ本体１は、アクセサリシュー６、表示部９、電源部１０、操作部１１、カメラ制御部１２、記憶部１３、シャッタユニット１４、シャッタ駆動部１５、撮像素子１６、画像処理部１７及び焦点検出部１８を有する。交換レンズ１０１は、ズーム操作環１０３、レンズ制御部１０４、電気接点１０５、ズーム検出部１０６、第１のズーム群２０１、レンズ防振群３０１、防振駆動部３０２、絞り４０１、絞り駆動部４０２、フォーカス群５０１及びフォーカス駆動部５０２を有する。なお、図１と図２では共通する要素に同じ符号を付しており、図１を参照して説明済みの要素については、ここでの説明を省略する。
【００１６】
電源部１０は、カメラ本体１と交換レンズ１０１に電力を供給する。操作部１１は、電源操作部３、モードダイアル４、レリーズボタン５、背面操作部８及び表示部９のタッチパネル機能を含む。シャッタユニット１４は、交換レンズ１０１内の撮像光学系を通過して撮像素子１６に照射される光量（露光量）を制御する。撮像素子１６は、具体的にはＣＭＯＳセンサ等であり、撮像光学系により形成された被写体像を光電変換して撮像信号を出力する。画像処理部１７は、撮像信号に対して各種の画像処理を行うことにより画像信号（画像データ）を生成する。生成された画像データは、記憶部１３に記憶される。焦点検出部１８は、画像処理部１７で生成された画像信号を用いて、撮像素子１６に結像した被写体像の焦点状態を判定し、焦点信号を生成してカメラ制御部１２へ送信する。
【００１７】
カメラ制御部１２は、カメラ本体１に設けられた各ブロックの動作を統括的に制御する。また、レンズ制御部１０４は、交換レンズ１０１に設けられた各ブロックの動作を統括的に制御する。カメラ制御部１２とレンズ制御部１０４との相互通信により、デジタル一眼レフカメラ１００の全体的な動作が制御される。その際、カメラ制御部１２とレンズ制御部１０４は、レンズマウント１０２に設けられた電気接点１０５の通信端子及びカメラマウント７に設けられた電気接点の通信端子を介して、各種の制御信号やデータ等の通信を行う。なお、電気接点１０５は、電源部１０からの電力を交換レンズ１０１に供給する電源端子を含む。
【００１８】
記憶部１３は、カメラ制御部１２が実行するコンピュータプログラムや、コンピュータプログラムの実行に必要なパラメータを記憶し、また、撮像画像（静止画像データ、動画像データ）を記憶する。カメラ制御部１２は、記憶部１３に格納されているコンピュータプログラムを読み出して実行する。
【００１９】
ピッチ振れ検出部１９とヨー振れ検出部２０は、手振れ等の像振れを検出する。ピッチ振れ検出部１９とヨー振れ検出部２０はそれぞれ、不図示の角速度センサ（振動ジャイロ）や角加速度センサを用いて、ピッチ方向（Ｚ軸まわりの回転方向）及びヨー方向（Ｙ軸まわりの回転方向）の像振れを検出し、振れ検出信号を出力する。カメラ制御部１２は、ピッチ振れ検出部１９からの振れ検出信号を用いてレンズ防振群３０１のＹ軸方向でのシフト位置を算出する。同様に、カメラ制御部１２は、ヨー振れ検出部２０からの振れ信号を用いてレンズ防振群３０１のＺ軸方向でのシフト位置を算出する。カメラ制御部１２は、算出したピッチ方向とヨー方向のシフト位置に応じて、レンズ防振群３０１を目標位置へ駆動し、露光中やスルー画像表示中の像振れを低減する防振動作を行う。
【００２０】
第１のズーム群２０１、レンズ防振群３０１及びフォーカス群５０１は、交換レンズ１０１での撮像光学系を構成する。なお、交換レンズ１０１の撮像光学系の詳細については後述する。第１のズーム群２０１は、ズーム操作環１０３と連結され、ズーム操作環１０３の回転角度に応じて光軸方向に移動し、これにより撮像画角が変化する。
【００２１】
ズーム検出部１０６は、例えば、抵抗式のリニアポテンショメータを用いて構成されており、ズーム操作環１０３の回転角を絶対値として検出する。ズーム検出部１０６によって検出された画角情報はレンズ制御部１０４に送信され、レンズ制御部１０４からカメラ制御部１２へ送信されて、カメラ制御部１２による各種の制御に用いられる。画角情報の一部は、撮像画像と共に記憶部１３に記憶される。
【００２２】
レンズ防振群３０１は、像振れを低減する防振素子としてのシフトレンズを含む。防振駆動部３０２は、シフトレンズを光軸と直交するＺ軸方向及びＹ軸方向に変位（シフト）させて、像振れを低減する防振動作を行う。絞り群４０１は、撮像光学系を通過する光量を調整する。絞り駆動部４０２は、絞り群４０１を駆動する。フォーカス群５０１は、光軸方向に移動可能に配置されたフォーカスレンズ５１０（図５参照）を含む。フォーカス駆動部５０２は、フォーカスレンズ５１０を光軸方向に移動させることにより焦点調節（合焦動作）を行う。フォーカス駆動部５０２は、フォーカスレンズ５２０を光軸方向に移動させる後述の振動型アクチュエータと、振動型アクチュエータを駆動するための駆動回路から構成される。
【００２３】
デジタル一眼レフカメラ１００では、操作部１１から指示された絞り値やシャッタ速度に応じて、カメラ制御部１２は、シャッタ駆動部１５を介してシャッタユニット１４の駆動を制御する。また、レンズ制御部１０４は、絞り駆動部４０２を介して絞り群４０１の駆動を制御する。カメラ制御部１２が操作部１１（レリーズボタン５）における撮像準備操作（半押し操作）を検出すると、カメラ制御部１２の指示に基づいてレンズ制御部１０４がフォーカス駆動部５０２を制御し、フォーカス群５０１を駆動する。例えば、オートフォーカス動作が指示された場合、焦点検出部１８は、画像処理部１７で生成された画像信号に基づいてデフォーカス量を検出し、検出したデフォーカス量をカメラ制御部１２へ送信する。これと同時に、レンズ制御部１０４は、フォーカス駆動部５０２によりフォーカス群５０１の現在位置を検出し、その検出信号をカメラ制御部１２へ送信する。
【００２４】
カメラ制御部１２は、被写体像の焦点状態とフォーカス群５０１の現在位置とのずれ量からフォーカス駆動量（フォーカス群５０１の移動量）を算出し、算出したフォーカス駆動量をレンズ制御部１０４へ送信する。レンズ制御部１０４は、受信したフォーカス駆動量に従ってフォーカス駆動部５０２を制御することにより、フォーカス群５０１を目標位置へ移動させる。これにより、被写体像の焦点ずれが補正される。自動露出制御の動作が指示されている場合、カメラ制御部１２は、画像処理部１７で生成された輝度信号に基づいて測光演算を行い、測光演算結果に基づき、操作部１１（レリーズボタン５）の撮像指示操作（全押し操作）に応じて絞り群４０１の駆動を制御する。これと同時に、カメラ制御部１２は、シャッタ駆動部１５を介してシャッタユニット１４の駆動を制御し、撮像素子１６による露光処理を行う。
【００２５】
次に、交換レンズ１０１とカメラ本体１における構成部品の位置関係について説明する。図３及び図４は、デジタル一眼レフカメラ１００の概略構成を、交換レンズ１０１の光軸Ｏを含み、Ｙ軸と平行な断面で表した断面図である。図３では交換レンズ１０１は繰り込み状態となっており、図４では交換レンズは繰り出し状態となっている。なお、図３及び図４に示す要素のうち、図１又は図２を参照して説明済みの要素については、同じ符号を付しており、これらについての説明を省略する。
【００２６】
撮像光学系は、第１のズーム群２０１、第２のズーム群２０２、第３のズーム群２０３、第４のズーム群２０４、第６のズーム群２０６、レンズ防振群３０１、フォーカス群５０１及び絞り群４０１を有する。絞り群４０１とレンズ防振群３０１は第３のズーム群として機能し、フォーカス群５０１は第５のズーム群として機能する。画角に応じた所定の光学位置へ移動した各ズーム群は、被写体からの光を撮像素子１６の撮像面上に結像させる。
【００２７】
なお、ここでは交換レンズ１０１の撮像光学系は６群構成となっているが、撮像光学系の構成はこれに限られない。例えば、レンズ防振群３０１やフォーカス群５０１は第２のズーム群として機能するものであってもよく、また、一部のレンズ群は光軸方向（Ｘ軸方向）において固定されていても構わない。
【００２８】
交換レンズ１０１は、直進案内筒１０７とカム筒１０８を有する。直進案内筒１０７とカム筒１０８は導電性材料、具体的には金属材料で形成されており、詳細は後述するが、これによりフォーカス駆動部５０２で発生する磁気ノイズの撮像素子１６への影響を低減することが可能となる。直進案内筒１０７は、不図示の固定筒を介してレンズマウント１０２に固定される。直進案内筒１０７の外周面には、等分位置に不図示のバヨネット爪が配置されている。カム筒１０８は、直進案内筒１０７の外周側に配置されてズーム操作環１０３と連結されており、光軸を中心として回転可能に保持されている。また、カム筒１０８の内周面には、直進案内筒１０７のバヨネット爪と係合する不図示の周溝が設けられている。周溝内とバヨネット爪とが係合しているため、ズーム操作環１０３が回転操作されると、カム筒１０８は光軸を中心として回転する。
【００２９】
直進案内筒１０７には、回転を規制しながら光軸方向へ各ズーム群を直進させるための直進案内溝が形成されている。一方、カム筒１０８には、各ズーム群を光軸方向に移動させるためのカム溝が、カム筒１０８の回転方向に対して所定の角度をなすように形成されている。第１のズーム群から第６のズーム群はそれぞれカムフォロアを有しており、各カムフォロアは、対応する直進案内溝とカム溝に係合している。ズーム操作環１０３が回転操作されるとカム筒１０８が回転し、各ズーム群に設けられたカムフォロアが直進案内筒１０７に設けられた直進案内溝内とカム筒１０８に設けられたカム溝内を移動することで各ズーム群は光軸方向で進退する。
【００３０】
次に、フォーカス群５０１を含むフォーカス群ユニットの構成について説明する。図５は、フォーカス群ユニット５００の分解斜視図である。フォーカス群ユニット５００は鏡筒５５０を有し、鏡筒５５０の内部にフォーカス群５０１が収納されている。フォーカス群５０１は、フォーカスレンズ５１０と、フォーカスレンズ５１０を保持するフォーカスレンズ保持枠５２０を備える。フォーカスレンズ保持枠５２０は、スリーブ部と振れ止め部を有する。スリーブ部は光軸Ｏと略平行に配置されたメインガイド５６０（第１のガイド部材）と摺動可能に嵌合し、振れ止め部はメインガイド５６０と略平行に配置されたサブガイド５７０（第２のガイド部材）と摺動可能に嵌合している。そして、メインガイド５６０とサブガイド５７０のそれぞれの軸方向端は、鏡筒５５０と６群保持枠２０６ｂに支持されている。なお、６群保持枠２０６ｂは、６群レンズ２０６ａを保持している。こうして、フォーカスレンズ保持枠５２０は、メインガイド５６０及びサブガイド５７０によってＹ軸方向及びＺ軸方向で位置決めされた状態で、鏡筒５５０と６群保持枠２０６ｂとの間において光軸方向に円滑に移動可能に支持されている。
【００３１】
なお、鏡筒５５０は、メインガイド５６０とサブガイド５７０によって６群保持枠２０６ｂと連結されている。前述したように、カム筒１０８と直進案内筒１０７との係合によって各ズーム群は光軸方向で移動可能となっているため、鏡筒５５０は第６のズーム群２０６と一体となって、光軸方向に直進移動することが可能である（図３及び図４参照）。
【００３２】
鏡筒５５０の側面（外周面）には、フォーカス駆動部５０２の一部を構成するアクチュエータとして、リニア駆動型の振動型アクチュエータ５０７が搭載されている。振動型アクチュエータ５０７は、光軸方向に長軸を有し、振動体を有する可動部５０８と、接触体（摩擦部材）を有する固定部５０９を備える。振動体は、接触体との摩擦接触部（突起部）を有する弾性体と、弾性体において摩擦接触部が設けられている面の反対側の面に接着剤等で固定された圧電素子を有する。圧電素子への給電を行うフレキシブルプリント配線板５８０は、鏡筒５５０に取り付けられており、フレキシブルプリント配線板５８０には振動体を駆動するための各種の回路部品が実装されている。なお、振動型アクチュエータ５０７の内部構造は、本発明とは直接の関係が無いため、より詳細な説明は省略する。
【００３３】
フレキシブルプリント配線板５８０を通じて圧電素子に所定の位相差を有する２相の交流電圧を印加することにより、振動体に共振現象を生じさせて、摩擦接触部に楕円運動を生じさせることができる。摩擦接触部に生じた楕円運動により、摩擦接触部は接触体に対して推力（摩擦駆動力）を与えるが、振動型アクチュエータ５０７では、摩擦接触部が接触体から受ける反力により振動体を有する可動部５０８が光軸方向に移動する。
【００３４】
固定部５０９は鏡筒５５０に固定されている。可動部５０８はラック５３０（連結部材）を介してフォーカスレンズ保持枠５２０と連結されており、よって、可動部５０８とフォーカスレンズ保持枠５２０は一体的に光軸方向へ移動する。このとき、圧電素子に印加される２相の交流電圧の周波数や位相を変えることで楕円運動の回転方向や楕円比を変化させて、可動部５０８の移動方向と移動速度を制御することができる。レンズ制御部１０４は、振動体に発生する進行波を制御することが可能となり、フォーカス群５０１を光軸方向に移動させ、目標位置へ到達させることができる。
【００３５】
圧電素子への給電を行うためにフレキシブルプリント配線板５８０に実装された回路部品には昇圧トランス５９０が含まれる。昇圧トランス５９０は、フォーカス駆動部５０２を構成する電気部品の１つであり、レンズ制御部１０４に供給される電圧よりも高い電圧を生成し、圧電素子へ給電する。フォーカス駆動部５０２を構成する駆動回路は、例えば、所定の周波数で発生させたパルス信号で直流電圧回路のスイッチングを行い、スイッチングされた電圧を昇圧トランス５９０で昇圧することにより、圧電素子に印加する正弦波電圧を生成する。但し、フォーカス駆動部５０２の構成は、このような構成に限定されるものではない。
【００３６】
昇圧トランス５９０は、磁気ノイズを発生させる。磁気ノイズが撮像素子１６に到達すると、撮像信号を取り出す画素電荷情報の信号線を高周波で変化する磁界が貫通する。これにより、信号線内で電磁誘導による磁気が発生してしまい、その結果、画素電荷情報の信号線にノイズが発生する。こうして、撮像素子１６が撮像信号を生成してから出力する過程において撮像信号に磁気ノイズが重畳すると、画質を劣化させることがある。
【００３７】
この問題を解決すると共に、交換レンズ１０１の小径化を実現することが可能なフォーカス群ユニット５００の配置形態について説明する。図６は、フォーカス群ユニット５００の側面図である。図７（ａ）は、フォーカス群５０１が移動範囲ＭＲの一端に配置されている状態を示す断面図である。図７（ｂ）は、フォーカス群５０１が移動範囲ＭＲの他端に配置されている状態を示す断面図である。図８は、光軸Ｏと直交する平面での交換レンズ１０１の断面図である。
【００３８】
図８に示すように光軸方向から見たときに、鏡筒５５０は、直進案内筒１０７の内周側に配置されており、直進案内筒１０７の内径に沿った略円筒形状を有する。フォーカスレンズ保持枠５２０、メインガイド５６０及びサブガイド５７０は、鏡筒５５０の外周（光軸を中心とした鏡筒５５０の外接円）より内側に配置されている。
【００３９】
昇圧トランス５９０と振動型アクチュエータ５０７は、鏡筒５５０の外周側面において、図８に示されるように光軸方向から見たときに鏡筒５５０の外周（光軸を中心とした鏡筒５５０の外接円）から外側に突出しないように配置されている。一方、昇圧トランス５９０の光軸方向での位置に着目すると、図６に示されるように、昇圧トランス５９０は、少なくともその一部が光軸方向において振動型アクチュエータ５０７と重なる位置において鏡筒５５０の外周側面に配置されている。換言すれば、昇圧トランス５９０と振動型アクチュエータ５０７は、それぞれを光軸と直交する方向から光軸へ投影したときに重なるように配置されている。
【００４０】
また、図７（ａ），（ｂ）に示されるように昇圧トランス５９０の少なくとも一部は、フォーカス群５０１がメインガイド５６０及びサブガイド５７０に案内されて移動可能な範囲、つまり、移動範囲ＭＲ内に配置されている。昇圧トランス５９０、メインガイド５６０、サブガイド５７０の周方向の位相に着目すると、図８に示されるように昇圧トランス５９０は、周方向において振動型アクチュエータ５０７、メインガイド５６０及びサブガイド５７０を避けた位相に配置されている。
【００４１】
このように交換レンズ１０１では、鏡筒５５０の光軸方向及び周方向のスペースを有効に活用して振動型アクチュエータ５０７と昇圧トランス５９０を配置している。これにより、交換レンズ１０１の大径化（大型化）を抑制し或いは交換レンズ１０１を小径化（小型化）することが可能となる。また、カム筒１０８と直進案内筒１０７を金属材料で形成しているため、外周側から漏れ出る磁束を低減させることができる。つまり、昇圧トランス５９０で発生する磁束は、導電体である金属を通過しようとするが、その過程で磁束密度の変化が生じると電磁誘導により渦電流が発生する。その結果、カム筒１０８及び直進案内筒１０７を貫通する磁束が減ることになり、撮像素子１６への磁気ノイズの影響を低減させることが可能となることで、画質低下を抑制することが可能になる。
【００４２】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。例えば、上記実施形態では、交換レンズ１０１の撮像光学系を６群構成としたが、これに限定されるものではない。
【符号の説明】
【００４３】
１    カメラ本体
１００    デジタル一眼レフカメラ
１０１    交換レンズ
１０７    直進案内筒
１０８    カム筒
５００    フォーカス群ユニット
５０１    フォーカス群
５０２    フォーカス駆動部
５０７    振動型アクチュエータ
５２０    フォーカスレンズ保持枠
５５０    鏡筒
５６０    メインガイド
５７０    サブガイド
５９０    昇圧トランス
【図１】
2020144270.tif 000003
【図２】
2020144270.tif 000004
【図３】
2020144270.tif 000005
【図４】
2020144270.tif 000006
【図５】
2020144270.tif 000007
【図６】
2020144270.tif 000008
【図７】
2020144270.tif 000009
【図８】
2020144270.tif 000010